(57)【要約】【課題】  スケールの堆積を防ぎ、メンテナンス作業を軽減することが可能な、取水口用薬液注入装置を提供する。【解決手段】海洋生物の付着防止用の薬液を取水口に向けて注入するための円状の注入管（１）を、２個の円弧状の分割管体（１１）による分割構造とし、該２個の分割管体（１１）を組み合わせることで構成した。各分割管体（１１）の両端部には、蓋が取り付けられ、該蓋の中央部分には開口部（２）が各々形成されている。各分割管体（１１）の取水口側の側面には、水平方向に対して６０°の下向角度となるように、複数個の噴出口が同じ間隔で設けられている。【選択図】図1
2008297733.tif 000002
【特許請求の範囲】
【請求項１】
海洋生物の付着防止用の薬液を取水口に向けて注入するための円状の注入管を、円弧状の分割管体の組み合わせによる構造とし、
該分割管体の側面に、水平方向に対して下向きの噴出口を設けると共に、
分割管体の両端に、開口部を設けたことを特徴とする、取水口用薬液注入装置。
【請求項２】
海洋生物の付着防止用の薬液を取水口に向けて注入するための円状の注入管を、２個の円弧状の分割管体の組み合わせによる構造とし、
該分割管体の側面に、水平方向に対して１０°〜８０°の下向角度の噴出口を設けると共に、
分割管体の両端に、開口部を設けたことを特徴とする、取水口用薬液注入装置。
【請求項３】
噴出口の下向角度が、水平方向に対して４５°〜７０°である、請求項１または２に記載の取水口用薬液注入装置。
【発明の詳細な説明】
【技術分野】
【０００１】
本発明は取水口用薬液注入装置に関し、詳細には、工業用海水等を取り込む取水口に、貝殻等の海洋生物が付着することを防止する、取水口用薬液注入装置に関する。
【背景技術】
【０００２】
従来、工業用海水の取水口として、特許文献１に記載のような、側面に取水管が接続された筒状の本体の上部周囲に、リング状の導流板を水平鍔状に取り付け、該導流板の上面に、筒状の制御壁を取り付けると共に、導流板の上方に、導流板との間に取水用の間隔を有するように蓋を取り付けたものが知られている。
【０００３】
また、取水口に貝類が付着するのを防止するために、特許文献２に記載のように、塩素等の薬液注入が有効であることが知られている。
【特許文献１】特開平６−５７７２８号公報
【特許文献２】特開平１１−３７６６６号公報
【発明の開示】
【発明が解決しようとする課題】
【０００４】
ここで、特許文献１に記載の取水口に対して海洋生物付着防止用の薬液注入を行うために、水平鍔状の導流板の上に、本体を囲む大きさの円状の注入管を設置し、該注入管の側面に、取水用の間隔に向けて噴出するように、水平方向に対して上向きの噴出口を形成することがある。
【０００５】
しかしながら、上向きの噴出口を有する円状の注入管による薬液注入装置を使用した場合は、円状の注入管内に堆積物が溜まり易く、頻繁にメンテナンスを行う必要がある。
【０００６】
これは、電解装置で海水中に含まれるマグネシウムやカルシウムなどの硬度成分が、薬液と反応して白色マッド状のスケールとなり、配管内に沈着・堆積しやすい物質となることに起因すると考えられる。
【０００７】
従って、発生したスチールの沈着・堆積を防ぎ、メンテナンス作業を軽減することが可能な、取水口用薬液注入装置が望まれていた。
【課題を解決するための手段】
【０００８】
本発明の課題を解決するための手段は、次のとおりである。
【０００９】
第１に、
海洋生物の付着防止用の薬液を取水口に向けて注入するための円状の注入管を、円弧状の分割管体の組み合わせによる構造とし、
該分割管体の側面に、水平方向に対して下向きの噴出口を設けると共に、
分割管体の両端に、開口部を設けたことを特徴とする、取水口用薬液注入装置。
第２に、
海洋生物の付着防止用の薬液を取水口に向けて注入するための円状の注入管を、２個の円弧状の分割管体の組み合わせによる構造とし、
該分割管体の側面に、水平方向に対して１０°〜８０°の下向角度の噴出口を設けると共に、
分割管体の両端に、開口部を設けたことを特徴とする、取水口用薬液注入装置。
第３に、
噴出口の下向角度が、水平方向に対して４５°〜７０°である、前記第１または２に記載の取水口用薬液注入装置。
【発明の効果】
【００１０】
本発明の取水口用薬液注入装置によれば、注入管内における薬液の流れがスムーズであって、薬液が注入管内で滞留する箇所が少なくなる。
【００１１】
そのため、本発明の取水口用薬液注入装置によれば、白色マッド状のスケールが滞留により沈着したり堆積する現象の発生を防ぎ、メンテナンス作業を軽減することが可能となる。
【発明を実施するための最良の形態】
【００１２】
以下に、図面を参照しながら、本発明に係る取水口用薬液注入装置の実施の形態について説明する。
【００１３】
図１は、本発明に係る取水口用薬液注入装置の概略を示す平面図である。
図２は、注入管の噴出口の部分の縦断面図である。
【００１４】
本発明に係る取水口用薬液注入装置は、海洋生物の付着防止用の薬液を取水口に向けて注入するための円状の注入管１を、２個の円弧状の分割管体１１による分割構造とし、該２個の分割管体１１を組み合わせることで構成したものである。
【００１５】
該注入管１の大きさは、設置する取水口の円筒状の本体より大きく、本体周囲に位置する水平鍔状の導流板上に設置可能なものとする。
【００１６】
各分割管体１１の両端部には、蓋が取り付けてあり、該蓋の中央部分に開口部２が各々形成されている。
【００１７】
ここで、２個の分割管体１１を組み合わせ、全体として円状の注入管１を構成した場合に、隣接する開口部２の間に、放流を妨げないような間隔を有するように、分割する長さが決定されている。
【００１８】
なお、蓋に開口部を形成する他に、蓋を取り付けずに、端部全面を開口部とすることもできるし、また、図示は省略するが、各分割管体１１の両端に、各々Ｔ字状の止水フランジを取り付け、各止水フランジの両端を開口部とすることもできる。
【００１９】
各分割管体１１の取水口側の側面には、図２に示すように、水平方向に対して６０°の下向角度となるように、複数個の噴出口３が同じ間隔で設けられている。
【００２０】
なお、噴出口２について、図示は省略するが、噴出方向に突き出る噴出ノズルを設けることもできる。
【００２１】
また、図示は省略するが、取水口の内側に設置された薬液注入用の接続管が、取水口から飛び出し、各分割管体１１の中央の下側部分に各々接続されている。
【００２２】
次に、上記の取水口用薬液注入装置の作用について説明する。
【００２３】
接続管から供給される薬液は、中央に位置する接続部分から各分割管体１１に入り込み、両端部に向けて流れる。
【００２４】
両端部に向かった薬液は、途中の各噴出口３から取水口に向けて噴出されつつ、最後に両端部において開口部２から外部に放流される。
【００２５】
このようにして各分割管体１１に入り込んだ薬液は、流速が極度に変動することなく、流れを維持しているので、注入管１内で滞留することがない。
【００２６】
そのため、薬液中のスケールが滞留により沈着したり堆積する現象の発生を防ぐことが可能になる。
【００２７】
その結果、メンテナンス作業の軽減を図ることが可能となる。
【図面の簡単な説明】
【００２８】
【図１】本発明に係る取水口用薬液注入装置の概略を示す平面図
【図２】噴出口の縦断面図
【符号の説明】
【００２９】
１  注入管
１１  分割管体
２  開口部
３  噴出口
【図１】
2008297733.tif 000003
【図２】
2008297733.tif 000004